(57)【特許請求の範囲】
【請求項１】
暗い色のトップシート、バックシート並びに前記トップシート及び前記バックシートとの間に配置された下敷層を備えていて、前記トップシートは６０未満のＬハンター値を有し、前記下敷層は前記トップシートに面する表面と前記バックシートに面する表面を有している、吸収度インジケータを備えた液体を吸収するための吸収性物品であり、前記トップシート、前記バックシート及び前記下敷層は、共通の周縁を有するように同一の広がりを有し、前記下敷層は６０又はそれ以上のＬハンター値を有する明るい層を備えていて、前記明るい層は前記吸収度インジケータを提供していることを特徴とする吸収性物品。
【請求項２】
前記トップシートは孔あきトップシートであり、０．０００１ｍｍ〜５ｍｍの孔径を有する開孔を含むことを特徴とする請求項１に記載の吸収性物品。
【請求項３】
前記トップシートは、不織布又は孔あきポリマーフィルムであることを特徴とする請求項１又は２に記載の吸収性物品。
【請求項４】
前記トップシートは、４５未満のＬハンター値を有することを特徴とする請求項１〜３のいずれか一項に記載の吸収性物品。
【請求項５】
前記下敷層の前記明るい層は、７０より大きいＬハンター値を有することを特徴とする請求項１〜４のいずれか一項に記載の吸収性物品。
【請求項６】
前記前記トップシートは黒色であり、前記下敷層の前記明るい層は白色であることを特徴とする請求項１〜５のいずれか一項に記載の吸収性物品。
【請求項７】
前記下敷層の前記トップシートに面する表面は、６０未満のＬハンター値を有することを特徴とする請求項１〜６のいずれか一項に記載の吸収性物品。
【請求項８】
前記トップシートと前記下敷層の前記トップシートに面する表面との間のＬハンター値の差ΔＬは２０未満である請求項１〜７のいずれか一項に記載の吸収性物品。
【請求項９】
前記下敷層は吸収性コアによって提供されており、当該吸収性コアは、６０未満のＬハンター値を有しているトップシートに面する表面と、並びに６０又はそれ以上のＬハンター値を有している明るい色の層とを備えていることを特徴とする請求項１〜８のいずれか一項に記載の吸収性物品。
【請求項１０】
前記下敷層は吸収性コアと組み合わされた第二トップシート層により提供されていて、第二トップシート層は前記トップシートの直下に敷かれていて６０未満のＬハンター値を有しており、前記吸収性コアは前記第二トップシートの直下に敷かれていて６０又はそれ以上のＬハンター値を有している、ことを特徴とする請求項１〜８のいずれか一項に記載の吸収性物品。
【請求項１１】
前記トップシートと前記下敷層の前記明るい層との間のＬハンター値の差ΔＬは、１０より大きいことを特徴とする請求項１〜１０のいずれか一項に記載の吸収性物品。
【請求項１２】
前記下敷層の前記トップシートに面する表面は、６０又はそれ以上のＬハンター値を有することを特徴とする請求項１〜５のいずれか一項に記載の吸収性物品。
【請求項１３】
前記バックシートは、６０未満のＬハンター値を有することを特徴とする請求項１〜１２のいずれか一項に記載の吸収性物品。
【請求項１４】
前記物品は生理用ナプキンまたはパンティライナであることを特徴とする請求項１〜１３のいずれか一項に記載の吸収性物品。
【請求項１５】
請求項１〜１４のいずれか一項に記載の吸収性物品を提供する工程を含み、前記物品の前記周縁に沿った目視調査によって体液に対する物品の接触を着用者が知ることができる、吸収性物品の吸収度インジケート方法。
【発明の詳細な説明】
【０００１】
（発明の分野）
本発明は、暗い色のパンティライナ又は生理用ナプキンのような吸収性物品に関する。さらに詳細には、暗い色のトップシート、バックシート及びトップシートとバックシートとの間に配置された下敷層とを有する暗い色の吸収性物品が開示されている。すべての３つの層は同一の広がりを有する。下敷層は、物品の周縁で見ることができる明るい色の層を有する。使用中に物品が体液を吸収すると、前記明るい色の層が変化し、暗い色の物品を新しいものと交換すべきことを示す吸収度インジケータを提供している。
【０００２】
（発明の背景）
おむつ、成人の失禁用製品、腋の下の吸汗製品、襟挿入用品、生理用ナプキン及びパンティライナを含む吸収性物品はこれまで、衛生状態を表す色が付されることが一般的であった。これが伝統的に、白又は白が優勢な物品を生じる結果となった。これは、これらの物品が着用されるのに、これまで優勢だった下着の色、すなわち、白の下着によく合っていた。その結果、白いパンティーライナ又は白い生理用ナプキンは、そのような白い下着に使用される時、容易に認識されない。
ごく最近のファッションでは、女性が白色以外の、他の色の下着をよく使用するようになった。これは、ファッション自体によるものだけではなく、半透明性を有するか、下着の色を認識させる布地の開発の結果である。更にごく最近いわゆるＧ−ストリング下着又は「タンガ−スリップ」が特に若い世代の女性によって広く使用されるようになってきた。これらのいわゆるストリングタンガは、ぴったり適合する衣類を通して下着の輪郭を容易に認識されるのを防ぐために特に使用される。
【０００３】
したがって、（最近の布地が半透明のものであるという仮定の下で）このような物品の存在が色で認識されることを防止するために下着（一般に衣類）の色に合致する生理用ナプキン又はパンティライナを有する必要がある。
下着の外側の周囲で折り畳む、いわゆるウイングを有する生理用ナプキン又はパンティライナにとって、生理用ナプキン又はパンティライナのウイング部分は、下着の外側に意図的に折り畳まれるので、下着の上に着用する衣類次第では目に触れ易いため、このことはより重要でさえある。
吸収性材料及び皮膚の色調であるバックシート（衣類に向く側）を含む生理用ナプキンは、アンジャレボランタ（Anja Levoranta）のＦＩ９６０２３６１に開示されている。色は、実際の皮膚の色に似せたものである。ＤＥ１９８２１８２１（エブリンビュトウ（Evelyn Buetow）に付与）は、それらの対角線に沿って２つのタンガーパンティライナに分離することができるパンティライナを開示する。それらは、種々の異なる色で製造することが好ましい。実にこれらのパンティライナのトップシート及びバックシートは彩色され得る。
【０００４】
暗い色の吸収性物品、すなわち、少なくともトップシートが暗い色か、好ましくはトップシートとバックシートの双方が暗い色の吸収性物品を所望の場合、物品が体液を吸収し、新しい物品と交換する必要があることをどのように認識するかが、ユーザにとって問題となる。
したがって、本発明の目的は、暗い色の吸収性物品、すなわち、暗い色、一般に黒色の下着と共に使用するように構成された暗い色のトップシートを有し、新しい物品と交換する時期をユーザーに指示する吸収性物品を提供することを目的とする。
この問題は、暗いトップシート、バックシート及び下敷層を有し、前記下になる層が６０又はそれ以上のＬハンター値を有し、前記トップシートと前記バックシートとの間に配置される明るい層を有し、これらの層全体が、共通の周縁を有するように同一の広がりを有する吸収性物品を提供することによって解決される。
【０００５】
この吸収性物品の特別の構造によって、吸収性物品の周縁に沿って前記明るい層を目で見ることができ、吸収性物品が吸収性物品内に吸収された液体の色に変化することによって吸収度を示す吸収度インジケータを提供する。これは、物品が体液を吸収したことを周縁に沿って目で見ることによって、続いてそれを交換するよう着用者に知らせる可能性を広げる。
吸収性物品は、単層か又は多層のいずれかである、下敷層を含む。下敷層のトップシートに面する表面は、暗い色が好ましく、さらに好ましくは、トップシートの色に一致することが好ましい。前記トップシートは、有孔性であることが好ましく、その結果、下敷層、すなわち、そのトップシートに面する表面は、トップシートを通して見ることができる。
このような実施形態は、暗いパンティライナ又は生理用ナプキンのような吸収性物品の場合に好ましく、暗い色の下着とともに着用し、物品を交換する時期を指示する吸収度インジケータとしての機能を果たす吸収度インジケータを備えているとき特にはっきりする。
【０００６】
前記構造によって、明るい色の層、一般に吸収性コアは、それ故トップシートの開孔を通して認識することができず、従って本発明の吸収性物品全体の使用において目立たなさを提供するが、物品の周縁で見ることができ、吸収度インジケータとしての機能を満たす。暗い孔あきトップシートを有する暗い色の吸収性物品の明るい色の層を覆うことにより、使用している間、特に女性の生活、例えば下着を取り除くといった、より個人的な瞬間において、目立たなさが発揮される。使用中、本発明のこの実施形態において、暗い色の吸収性物品に関する他の利点は、吸収性物品に吸収され保持された体液を隠す効果である。膣の分泌物、尿及び／又は月経期間におけるような体液は、下敷層（例えば、第二トップシート及び／又は吸収性コア）の存在によって覆われ、下敷層は、６０未満、好ましくは、本発明の吸収性物品のトップシートの色と一致するＬハンター値を持つトップシートに面する表面を有する。これは全体的な快適さ及び目立たなさに貢献する。まさに、吸収性物品への体液の排出、特に月経時の血液の排出を適切に覆い隠すことは、トップシート及び下敷層のトップシートに面する表面が３０未満のＬハンター値を有するとき、好ましくは黒色を有するときに達成される。
【０００７】
１つの実施形態において、本発明の吸収性物品は、吸収性コアに例えば臭気制御材料、例えば活性炭素を含み、これは、最も有効であり、コスト上効果的な臭気制御材料である。この臭気制御材料は、その固有の黒色により、従来の衛生用の白い吸収性物品には望ましくなかった。活性炭素（いわゆる炭）は、物品の快適さ及び目立たなさを妨げることなく本発明の暗い色、特に黒色の吸収性物品に有利に使用される。
本発明の他の実施形態において、下敷層は、６０又はそれ以上のＬハンター値を有するトップシートに面する表面を有する。この実施形態において、吸収性物品の着用者は、このようなトップシートが物品に組み込まれたとき、下敷層が孔あきトップシートの開孔を通すか、孔のないトップシート、例えば、薄い織布又は不織布の相対的な不透明性を通すかを知ることができる。この下敷層は、着用者が物品の周縁を目視調査によって知ることができるので、吸収度インジケータとして機能するが、物品が体液に接触するトップシートを通して見ることもできる。全体的な目立たないという観点からこの実施形態はあまり望ましくない。
【０００８】
（発明の概要）
本発明は、吸収度インケータを備えた液体、典型的には体液を吸収するための吸収性物品を含む。前記物品は、６０未満のＬハンター値、好ましくは黒の暗いトップシート、６０又はそれ以のＬハンター値を有する明るい層の下敷層及びバックシートを有する。すべての層は、共通の周縁を有するように同じ広がりを有する。これを実施することによって、物品の周縁に沿って明るい層が目立ち、色が吸収された液体の色に変化することによって前記吸収度インジケータを提供する。
【０００９】
（詳細な説明）
定義
本明細書の「吸収性物品」という用語は、主に下着の股領域に着用される生理用ナプキン、パンティライナ又は失禁用パッドを意味する。しかし、脇の下の汗吸収パッド、授乳パッド又は襟挿入用品のような物品も、本発明の恩恵を受け得る。慣習的に下着と共に着用されてはいないが、赤ちゃん用おむつ、成人失禁者用おむつ及び排泄物処理装置が本発明から恩恵を受けることさえ考えられる。
本明細書で使用される「使い捨て」という用語は、洗濯される、さもなければ吸収性物品として復元される又は再利用されることを意図しない（すなわち一回の使用後に捨てられる、好ましくはリサイクルされる、堆肥にされる、さもなければ環境に適合する方法で処理されることを意図する）吸収性物品を説明する。
本明細書で使用される「トップシートに面する表面」という用語は、吸収性物品のトップシートに向いている層の表面を説明する。吸収性物品のトップシートは、通常着用者の皮膚に向いている。
【００１０】
本明細書で使用される「バックシートに面する表面」という用語は、吸収性物品のバックシートに向いている層の表面を説明する。吸収性物品のバックシートは、通常、着用者の下着に向いている。
本発明による吸収性物品は、通常３つの主な部材から構成されている：使用中、物品のユーザに面し、液体を物品に通過させることができるよう液体浸透性であり、好ましくは孔あきトップシート；吸収された液体が物品を通って漏れないように液体を閉じ込め、通常、物品の下着に面する表面を提供するバックシート；トップシートの下側に配置され、トップシートが有孔性であるときに、トップシートの孔を通して見ることができる層である。好ましくは、このような下側の層は、単層又は多層を有する。下敷層は、トップシートに面する表面とバックシートに面する表面を有する。本明細書において、下敷層は、トップシートとバックシートとの間に挟まれるように配置された二次トップシート及び／又は吸収性コアと称され、トップシートを通過して物品に入った液体を捕らえ保持する物品の吸収機能を提供する。
【００１１】
特定の材料を包含する多くの吸収性物品及び構造体が当該分野において既知であり、長期にわたり充分詳細に説明されてきた。このような材料全体は、もしそれらが、ハンターカラースケール値によってこの明細書で定義されるような色の要求に合致する場合には、本発明の実施形態において有用である。典型的には、これは、従来の材料特性の大部分を維持しつつ、その材料組成物の適度な加工のみを必要とする。本発明による吸収性物品における使用に特に有利な材料の例を次に説明する。当業者であれば、本発明による吸収性物品の背景においても使用されることができる代替材料を容易に明らかにすることができる。
本発明によれば、吸収性物品は、トップシート、バックシート及び下敷層を有し、吸収性物品のトップシートは６０未満のＬハンタ値を有し、下敷層は６０又はそれ以上のＬハンタ値を有する明るい層を有する。トップシート、バックシート及び下敷層は、共通の周縁を有するように同一の広がりを有する。
【００１２】
本発明による吸収性物品の材料の暗さと明るさを定義するために、この明細書で使用されるＬハンタスケール値は、ハンタ色システムの色測定の単位である。このシステムの完全な技術的な説明は、ハンター（R.S.Hunter）による、米国光学協会ジャーナル「ｐｈｏｔｏｅｌｅｃｔｒｉｃ  ｃｏｌｏｕｒ  ｄｉｆｆｅｒｅｎｃｅ  Ｍｅｔｅｒ」４８巻、頁９８５−９５、１９５８に記載されている。ハンタスケールで色の測定について特別に設計された装置は、米国特許第３，００３，３８８号（１９６１年１０月１０日付与、ハンタ（Hunter）ら）に開示されている。一般に、ハンタ色「Ｌ」スケール値は、光反射測定における単位であり、明るい色の材料は光をより多く反射するため、値が大きくなると色が明るくなる。。特に、ハンタ色システムにおいて、「Ｌ」スケールは、１００に分割された単位を含み、完全な黒は、スケールの下部（Ｌ＝０）であり、完全な白は、スケールの上部（Ｌ＝１００）である。従って、本発明による吸収性物品に使用される材料のハンタ色値を測定する際に、「Ｌ」スケールの値が低くなればなるほど、材料が暗い色になる。
【００１３】
吸収性物品及びその吸収性物品を製造する材料は、本明細書で定義したＬハンタ値に合致するものであれば、どのような色であってもよい。
この明細書で使用する「色」は、主たる色、すなわち、白、黒、赤、青、紫、オレンジ、黄色、緑、及び藍色、並びにその変更色又はその混合色を含む。
色は、人間の目によって知覚されるすべての色が数値コードに変換される国際的に認められた色の３Ｄソリッドダイヤグラムによって測定することができる。この方式は３次元（ｘ、ｙ、ｚ）及び特にＬ*、ａ*、ｂ*に基づく。
このシステムによって色を定義するとき、L*は、明度（０＝黒、１００＝白）を表し、ａ*及びｂ*は、各々が独立して２つの色軸線を表し、ａ*は、赤／緑軸線（＋ａ＝赤、−ａ＝緑）を表し，ｂ*は、黄色／青軸線（＋ｂ＝黄色、−ｂ＝青）を表す。
【００１４】
いずれの色も独特のΔＥ値によって識別され、これは数学的に次の等式によって表される。
ΔＥ＝[（Ｌ*ｒｅｆ．−Ｌ*ｓａｍｐｌｅ）2＋（ａ*ｒｅｆ．−ａ*ｓａｍｐｌｅ）2＋（ｂ*,ｒｅｆ．ｂ*ｓａｍｐｌｅ）２]1/2
ΔＥは、基準色と３次元モデルの無色点（すなわち、球の中心Ｌ*ｒｅｆ＝５０，ａ*ｒｅｆ＝０，ｂ*ｒｅｆ＝０）との間の距離を図式的に表す。
（日本のミノルタ社から入手可能な）コリメータＭＩＮＯＬＴＡｍｏｄｅＣＲ−３００機器を使用して色を測定することができるが、この機器は、座標Ｌ*，ａ*，ｂ*を提供することができ、そこからΔＥ値を測定することができる。
【００１５】
本明細書で検討するＬハンター値及び色値ΔＥは、層のまま、又はそれ自身で折り畳まれて同じ材料の層が追加されるか又はその折り畳まれたものが追加された関連する材料（例えば、トップシート、バックシート又は下敷層）について測定され、Ｌハンター値及び色値が一定にとどめられることは理解すべきである。事実、Ｌハンター値及びΔＥは、測定のための機器に材料を配置する支持体のいかなる影響を受けない材料それ自体の値である。換言すれば、例えば孔あきトップシート層のＬハンタ−値を測定する時、この材料の数層が重ねて置かれた又はその層がそれ自身の上で数回折り畳まれた後そのＬハンタ−値が測定され、同一の材料が追加的に層化された又は折り畳まれた後で再度測定されるが、この後の操作は追加的に層化され又は折り畳まれてもＬハンタ−値がそれ以上変化しなくなるまで必要なだけ行われる。この値は、本明細書で検討されるべき値である。
【００１６】
トップシート
従来のトップシートは、それが定義されたＬハンター値に合致する限りにおいて、全て本明細において使用される。本明細書において用いるのに好ましいトップシートは、孔あきトップシートである。
本明細書において使用される孔あきトップシートという用語は、孔を持つトップシートを指す。一般に孔あきトップシートは柔順で可撓性がありソフトな感触で着用者の皮膚を刺激しない。
通常、トップシートは、０．０００１ｍｍ〜５ｍｍの孔径を有する複数の開孔を含む。全ての開孔は、同じ寸法でもよく、又は異なる寸法の開孔が存在してもよい。孔あきトップシートの空き領域は一般に１％〜５０％まで、好ましくは５％〜４５％まで、より好ましくは１０％〜４０％まで、最も好ましくは２０％〜３５％までである。
孔あきトップシートは一般に孔あきポリマーフィルムである。本明細書において使用するための好適な孔あきポリマーフィルムトップシートは、ポリマー孔あき成形フィルム、孔あき成形熱可塑性フィルム、孔あきプラスチックフィルム及びハイドロフォーミングされた熱可塑性フィルム、並びに多孔質発泡体、網状化発泡体、網状化熱可塑性フィルム及び熱可塑性スクリムを包含する。
【００１７】
孔あき成形フィルムは、身体の排出物を透過させるが非吸収性であり、流体を逆戻りさせて着用者の皮膚を再湿潤する傾向が低いので、孔あきトップシートとして本明細書における使用に特に好適である。この場合、身体と接触している成形フィルムの表面は乾いた状態を保ち、よって身体を汚すことが減り、着用者により良い快適感を与える。好適に成形したフィルムについては、米国特許第３，９２９，１３５号（１９７５年１２月３０日発行、トンプソン（Thompson））、米国特許第４，３２４，２４６号（１９８２年４月１３日発行、ムラン（Mullane）ら）、米国特許第４，３４２，３１４号（１９８２年８月３日発行、レーデル（Radel）ら）、米国特許第４，４６３，０４５号（１９８４年７月３１日発行、アー（Ahr）ら）、米国特許５，００６，３９４号（１９９１年４月９日発行、ベアド（Baird））に説明されている。特に好ましい微小孔成形フィルムトップシートは米国特許第４，６０９，５１８号（１９８６年９月２日発行、キュロ（Curro）ら）、及び米国特許第４，６２９，６４３号（１９８６年１２月１６日発行、キュロ（Curro）ら）に開示されている。
【００１８】
本明細書での使用に好適な成形フィルムは、ＢＰケミカルズ社（BP Chemicals）（ドイツ、Ｗａｓｓｅｒｂｕｒｇ）から入手可能な黒色ポリエチレン孔あき成形フィルム、ブラックＣＰＭ  ＤＨ（登録商標）コード４５１０５／９９である。
ポリマーフィルムトップシートの本体表面は、本体表面が親水性でない場合に比べて液体がより早くトップシートを移動するのを助けるために親水性であり得る。好ましい実施形態では、国際公開第９３／０９７４１号（１９９１年１１月１９日出願、アジズ（Aziz）ら）、「不織布製有孔フィルムのカバーシートを有する吸収性物品（Absorbent Article Having A Nonwoven and Apertured Film Covershee）」において記述されたように界面活性剤が成形フィルムトップシートのポリマー材料に組み込まれている。あるいは、トップシートの本体表面は、前述の米国特許第４，９５０，２５４号に記載されているように界面活性剤を用いて処理することによって親水性を持たせることができる。
【００１９】
本明細書において使用するための他の好適な孔あきトップシートは織布材若しくは不織布材又はニット材料から作成される。このような材料は、天然繊維（例えば、木質部又は木綿繊維）、合成繊維（例えば、ポリエステル、ポリプロピレンのようなポリマー繊維又はポリエチレン繊維）又は天然もしくは合成繊維の組み合わせを含む。
本明細書での使用に特に好適な孔あきトップシートは不織布トップシートである。好適な不織布材料／層は、カーディング処理又はスパンボンド処理又はメルトブロウン処理によって形成された繊維性不織布材／層を含み、これらの処理において溶融したポリマー材料をダイを通して押し出し、押し出されたポリマーを伸ばして繊維になるように細くし、その直径を小さくして連続してその成形面に配置される。このような不織布材料／層の成形方法は、当業者には既知である。このような繊維性不織布材／層の成形において使用するのに好適なポリマー材料は、ポリエチレン及びポリプロピレンのようなポリオレフィン類、ポリエステル類、ナイロン類、エチレンビニルアセテート、エチレンメタクリレート、上記材料の共重合体類、スチレンとブタジエンのＡ−Ｂ−Ａブロックコポリマーのようなブロックコポリマー類などを包含する。
【００２０】
本明細書での使用に好適な従来の不織布材は、コード名Ｔ２７ＣＸＣでＢＢＡ社から市販のスパンボンドされている黒いポリエチレン層である。
前述した従来の不織布材料とは別に、本明細書で使用する孔あきトップシートは、スパンボンド処理のような前述したいかなる方法によっても提供される、従来の不織布材料からつくることができ、不織布材料それ自身を形成した後、この目的のために当業者には公知の従来の方法によってさらに孔を形成することができる。
【００２１】
本明細書における更に好ましい実施形態では、孔あきトップシートは不織布外側層（不織布層は着用者の表面を向く）と合わせて、孔あきポリマーフィルム、好ましくは孔あき成形フィルムを含む。一般に不織布層は、少なくとも液体が吸収性物品の上に排出されると思われる領域には、不織布層がないように不連続な方法で孔あきポリマーフィルムの上に配置される。実際に、着用者に接触する表面に孔あきポリマーフイルムが長手方向の中心に設けられているが、中心以外の領域には、例えば、不織布が皮膚と特に親和性であるハイロフト型の不織布又は他の不織布のような不織布が配置される、いわゆるハイブリッド型トップシートであることが好ましい。このようなトップシートは、欧州特許出願第５２３６８３号、欧州特許出願５２３７１９号、欧州特許出願６１２２３３号、又は欧州特許出願７６６９５３号に開示されている。図１は、不織布外側層２及び孔あきポリマー成形フィルム層３（孔は図示されない）を含むそのような好ましいトップシートを持つパンティーライナ１を説明している。不織布外側層２は吸収性物品の着用者に面する表面の中央領域に位置する開口部２０を持つ。開口部２０は身体の排出物のための通路として不織布外側層２に提供され、孔あき成形フィルム層３の上に直接配置されてその優れた流体処理特性を利用するので、流体は迅速に吸収性コアの中まで通過する。一般に不織布外側層２は、ストリップ２１、２２間の間隔を置く領域が開口部２０を形成するように、孔あき成形層３の最上部で空間を置く二つのストリップ２１、２２を含む。これら二つの層は連続的、部分的又は断続的に固着されることができる。好ましい実施形態では、不織布外側層及び孔あき成形フィルム層はストリップ２１と２２の複数の位置でヒートボンド２３でスポット固着される。ヒートボンド２３はエンボス加工された密閉模様を提供し、例えば波線のようなその模様の意匠において審美的効果も与えることができる。
【００２２】
本明細書の孔あきトップシートは不織布材若しくは織布材、又はポリマーフィルムから作成することができる。このようなフィルム及び不織布材又は織布材は、例えば、ポリエチレン組成物又はポリプロピレン組成物のようなポリマーから製造できる。従来のこのようなポリマーは、二酸化チタンのような着色剤が使用され、白い不透明度が付与されていた。単に他の着色剤（例えば、染料、顔料等）を使用することによって、暗い色（例えば、黒、濃紺、灰色等）の材料は、暗い色のフィルム又は不織布をもたらす。本明細書に使用する材料についてＬハンター値に合致するように二酸化チタンの代わりに他の着色剤を使用することによって、実質的に材料を変更することのない利点を有する。また、トップシートをつくることができる材料に使用する特別の着色剤を選択することによって（コストの低減及び環境問題の責務の軽減は別として）さらに良好な材料の特性という追加的な利益が得られる。
【００２３】
暗い色のトップシート（すなわち、本明細書でＬハンター値の要求に合致する材料）を提供するために当業者には公知の従来のいかなる方法も、本明細書に用いるのに好適であることは理解しなければならない。一般に、暗い色のトップシートは、材料に顔料を加えること、材料を染めること、又は材料をカラー印刷することを含む当業者に公知の異なる方法によって上述したいずれの材料によってもつくることができる。
暗い色のトップシートの好ましい例は、コード名Ｔ２７ＣＸＣとしてＢＢＡ社から入手可能な黒いスパンボンド処理されたポリエチレン製の外側層と合わせて、ＢＰケミカル社（BP Chemicals）からコード名４５１０５／９９として入手可能な黒いポリエチレンベースの孔あき成形フィルムＣＰＭＤＨ（登録商標）を有するハイブリッドトップシートである。これらの黒い材料はどちらも、炭素ベースの顔料を使用することにより得られる。
【００２４】
本発明によれば、トップシートは、Ｌハンター値が６０未満、好ましくは、４５未満さらに好ましくは３０未満であり、最も好ましいのは黒であることが極めて好ましい。不織布外側層と共に孔あきポリマーフィルム層のようなトップシートについて異なった層が使用されている本明細書の実施形態では、全ての層が個々にこの要件に適合している。好ましくはトップシートの種々の層／材料のＬハンター値は同一である。
好ましい実施形態において、トップシートの異なる層／材料の間、例えば、不織布製の外側層と孔あきポリマーフィルム層との間の色の値ΔＥの差は３０未満、さらに好ましくは、１５未満、最も好ましのは１０未満である。最も好ましいのは、トップシートの異なる層／材料の色は、互いに一致する（同じ（すなわち、同じΔＥ））である）。
【００２５】
極めて好ましい実施形態では、トップシートは黒であり、一般的に炭素型の顔料を着色剤として使用することによって形成される。
驚くべきことに、グラファイトのような炭素型の顔料を不織布に加えることにより、その不織布への柔軟性が改善されることが判明した。この柔軟性という長所はほとんど、炭素型の顔料つまりグラファイトが不純物として作用してポリマー基材の結合を緩め、それによって皮膚との接触がより柔軟である、より毛羽立った完成材料を提供するという事実によるものであることが、理論に縛られることなく推測される。したがって、本発明の好ましい実施形態において、暗い色の不織布製のトップシートを有する吸収性物品は、グラファイトのような炭素型の顔料の存在により、その色が形成される。。炭素型の顔料によって付与された暗い色の不織布製のトップシートを有する吸収性物品は、暗い色の下着を使用するときにさらに目立たなくなるだけではなく、さらに快適である。
【００２６】
バックシート
一般にバックシートは、柔軟で、可撓性であり、ソフトな感触がある。バックシートは、吸収性コアに吸収され、含有された排出物が、吸収性物品に接触する下着のような衣類を濡らすのを防ぐ。好ましくは、バックシートは、液体（例えば、月経、汗及び／又は尿）に対して不透過である。バックシートは薄いプラスチックフィルムから製造可能であるが、他の可撓性液体不透過性材料も使用し得る。本明細書で使用する「可撓性」という用語は、柔軟で人体の一般的な形状及び輪郭に容易に沿う材料に関して言う。バックシートは好ましくは、一又は二方向にそのシートを拡張させる弾力特性も有し得る。
バックシートは、織布材料、又は不織布材料、ポリエチレン又はポリプロピレンの熱可塑性材料のようなポリマーフィルム、又はフィルムコーティングされた不織布材料又は繊維コーティングされたフィルムなどの複合材料を含む。伝統的に吸収性物品は、約０．０１２ｍｍ〜約０．０５１ｍｍまでの厚さを持つポリエチレンフィルムのバックシートを含む。
【００２７】
バックシートは吸収された液体に漏れ防止をもたらす主な目的を犠牲にすることなく、通気可能、すなわち、水蒸気、さらに好ましくは、空気が通過することができることが好ましい。バックシートは、単一の通気性バックシート層を、異なる又は同一の素材からなる少なくとも２又は３層により置換するために、１つより多い通気性層も備え得る。特に、共に通気性バックシートを形成する二つの通気性層が好ましい。
好ましくは、本発明の吸収性物品のバックシートは、６０未満、さらに好ましくは、４０未満、さらに好ましくは３０未満、最も好ましくは２０未満のＬハンター値を有する。好ましくはバックシートとトップシートの間のＬハンター値ΔＬの差は２０未満、好ましくは１５未満、より好ましくは１０未満である。好ましくは、バックシートは、吸収性物品のトップシートと同じＬハンター値を有する。
【００２８】
好ましい実施形態において、トップシートとバックシートとの間の色の値ΔＥは、４０未満、好ましくは３０未満、さらに好ましくは２０未満、最も好ましくは１５未満である。通常、バックシートは、トップシートと同じ色（すなわち、同じΔＥ）を有する。本明細書において好ましい実施例では、トップシート及びバックシートは黒である。
本発明によれば、ポリエチレン製のバックシート、実際にはポリマー材料からつくられた、いかなるバックシートに、関連する色と合致する色フィラーを使用して暗い色を含むどのような色も付することができる。例えば、暗い色のバックシートは、従来の二酸化チタンのような白い材料の代わりに色フィラー／顔料の中で好適なもの、好ましくは暗い色のフィラー／顔料を使用することによって形成してもよい。当業者によって認識されるように、バックシートの暗い色は、暗い色のトップシートと同じ方法で付すことができる。
【００２９】
下敷層
下敷層は単一の層／材料により、又は複数の層／材料により提供されることができる。下敷層は、トップシートに直接隣接しており、したがって、トップシートが孔あきトップシートである本発明の好ましい実施形態において、前記トップシートを通して下敷層が見えることが重要である。下敷層は、異なる材料／層を含む、好適ないかなる材料によって形成することもできる。下敷層がトップシートとバックシートと同一の広がりを有し、共通の周縁を有することによって、下敷層の中に含まれる、少なくとも明るい層がトップシートとバックシートと同じ広がりを有することを意味する。
本発明の吸収性物品は基本的な部材として、明るい色を含む下敷層を含み、この層は６０又はそれ以上、より好ましくは７０より大きく、さらに好ましくは８０より大きいＬハンター値を有し、最も好ましいのは白色である。トップシートと下敷層の明るい層との間のＬハンター値ΔＬの差は、好ましくは１０より大きく，さらに好ましくは３０より大きく、最も好ましくは４５より大きい。トップシート、バックシート及び下敷層は同一の広がりを有するので、それらは共通の周縁を有し、下敷層の明るい層が目で確認できる。これによってこの明るい層が吸収度インジケータとして作用し、ユーザが吸収された体液により色の変化を知ることができる。
【００３０】
トップシートが好ましくは、穴あきトップシートである本発明の１つの実施形態において、下敷層は、６０以上のＬハンター値を有するトップシートに面する表面を有することが好ましく、下敷層のトップシートに面する明るい面が暗いトップシートの開孔を通して見ることができることが好ましい。この構成は、使用するにあたって、少し目立つので好ましくはないが、黒い孔あきトップシートを有する吸収性物品を黒い下着と一緒に着用する場合に、物品が体液に接触したとき、吸収性物品の周縁に沿うばかりでなく、孔あきトップシートを通しても吸収度インジケータとして作用する。
好ましい実施形態の場合、下敷層は６０未満、好ましくは４５未満、さらに好ましくは３０未満のＬハンター値を有する暗い色のトップシートに面する表面を有する。トップシートと下敷層のトップシートに面する表面との間のＬハンター値の差ΔＬは通常２０未満、好ましくは１５未満、さらに好ましくは８未満、より好ましくは５未満、最も好ましくは３未満である。好ましくは、下敷層のトップシートに面する表面のＬハンター値は、トップシートのＬハンター値と同じか、トップシートのＬハンター値未満である。この実施形態において、トップシートと下敷層のトップシートに面する表面との間の色の値ΔＥの差は４０未満、好ましくは３０未満、さらに好ましくは２０未満、最も好ましくは１０未満である。さらに好ましい実施形態において、下敷層のトップシートに面する表面の色は、トップシートと同じ（すなわち同じΔＥ）、好ましくは黒である。
【００３１】
トップシートに関して、下敷層の暗い色のトップシートに面する表面を提供するために当業者に公知のいかなる従来の方法は、全て本発明の実施形態に用いるのに好適である。
本発明の１つの実施形態において、下敷層のトップシートに面する表面は、（第二のトップシートと称される）第二の層によって提供される。このような第二層は、織布材、不織布材、並びに孔あき成形熱可塑性フィルム、孔あきプラスチックフィルム、ハイドロフォーミングされた熱可塑性フィルム、多孔質発泡体、網状化発泡体、網状化熱可塑性フィルム及び熱可塑性スクリムのようなポリマー材料などの多種多様の材料から製造されてもよい。前に本明細書で記載したトップシートのためのいかなる材料も第二層として使用することができる。トップシートの全体面で、第二層がトップシートの下に配置されるように、第二層がトップシートの周縁に延びている。第二層は吸収性コアと例えば、孔あきポリマーフィルム及び／又は不織布のようなトップシートとの間に配置される。好ましくは第二層は６０未満、さらに好ましくは４５未満、さらに好ましくは３０未満のＬハンター値、最も好ましくはトップシートと同じＬハンター値を有する。この好ましい実施形態において、第二層は、例えば、従来の白い吸収性コアのような６０又はそれ以上のＬハンター値を有している明るい色の吸収性コアを含む下敷層を、その色が何であれトップシートを通して認識することから覆い隠すことができる。有利にもそのような吸収性物品は、その上に排出され、その上で保持されるいかなる身体の流体、特に月経の流体を吸収性コアの中で覆い隠すことができる。これを実施するにあたって、下敷層は、明るい層として明るい吸収性コアを含む。明るい色のコアは、コアが第２のトップシートの表面全体で第２のトップシート／層の下に配置されるように物品の周縁に延びている。このような実施形態において、明るい色のコアは下敷層の層に含まれる明るい層として作用し、物品の周縁に延びていて、したがってそれはその周縁で見ることができ、暗い色のトップシートと暗い色の第二層の下敷層の下になっている。物品の周縁で見ることができる明るい色の吸収性コアは、体液が吸収されたとき見ることができるインジケータとして、したがって、暗い色の吸収性物品の変化を示すインジケータとして作用する。
【００３２】
極めて好ましい第二層は、不織布第二層である。不織布第二層は、パンティーライナ／パッドそれ自体の、又はクロッチ部分にある吸収性コアのよじれである「束になる」ことを防ぐ。孔あきトップシートの内側層は好ましくは、接触する関係で不織布第二層と固定されている。この接触する関係により液体は、孔あきトップシートが第二層に接触していない場合より、孔あきトップシートを、好ましくは成形されたフィルムをより迅速に貫通する。
不織布第二層の材料は、本明細書で前に記載した不織布トップシートと同じであり得る。
他の実施形態において、下敷層は、トップシートとコアとの間にいかなる追加の層がない場合、吸収性コアそれ自身によって提供される。好ましい実施形態において、吸収性コアは、６０未満のＬハンター値、好ましくはトップシートと同じＬハンター値及び色を有するトップシートに面する表面を有する。吸収性コアのバックシートに面する表面は明るく、６０又はそれ以上、好ましくは７０さらに好ましくは８０のＬハンター値を有する。吸収性コアはトップシートの周縁に延びており、それによってその面全体がトップシートの下に配置されている。吸収性コアの明るい部分は、吸収性物品の周縁で見ることができ、吸収度インジケータを提供している。
【００３３】
吸収性コア
従来、吸収性コアは単一の存在であってもよく、又は数層を含んでもよい。吸収性コアは、次の部品を含むことができる。（ａ）任意に第一流体分配層、（ｂ）任意に第２の流体分配層、（ｃ）流体貯蔵層、（ｄ）任意に貯蔵層の下にある繊維層（ｅ）他の任意の部品。
【００３４】
ａ．任意の第一流体分配層
本発明の吸収性コアの任意構成要素の１つは、第１流体分配層である。この第一分配層は、典型的にトップシート（存在するならば）の下に配置されており、トップシートと流体連通する状態である。この第一分配層は、貯蔵層に最終的に分配するために、体の分泌液を獲得する。第一分配層を通過する分泌液のこの移動は、主に厚さにおいて発生するが、その物品の縦方向及び横方向に沿って分配してもよい。
【００３５】
ｂ．任意の第二流体分配層
また本発明により任意で第２流体分配層がある。この第二分配層は、典型的に第一分配層の下に配置されており、第一分配層と流体連通する状態にある。この第二分配層の目的は、第一分配層から身体の流体を直ちに獲得し、それを下にある貯蔵層まで移す前に物品の長手方向及び横断方向に沿って分配することである。これは、下にある貯蔵層の流体容量が十分に活用されることを助ける。
【００３６】
ｃ．流体貯蔵層
典型的には第１又は第２流体分配層の下に配置し、これらの層と流体連通の状態にあるのが、流体貯蔵層である。
この流体貯蔵層は、液体（例えば、月経及び／又は尿）を吸収又は保持できるいかなる吸収性手段であってもよい。この流体貯蔵層は、多種多様の寸法及び形状（例えば、四角形、長円形、砂時計形、非対称形など）で製造してもよく、一般にエアフェルトと呼ばれる粉砕木材パルプのような、生理用ナプキン及び他の吸収性物品に通常使用する多種多様の液体吸収性素材から製造してもよい。他の好適な吸収性材料の例には、縮みセルロース詰め物、部分加工した架橋セルロース繊維（米国特許第５，２１７，４４５号（１９９３年６月８日発行、ヤング（Young）ら）に記載するもののような）、毛管溝繊維（すなわち、米国特許第５，２００，２４８号（１９９３年４月６日発行、トンプソン（Thompson）ら）に記載するもののような繊維内毛管溝を有する繊維）、吸収性フォーム（米国特許第５，２６０，３４５号（１９９３年１１月９日発行、デスマライス（DesMarais）ら）及び米国特許第５，２６８，２４４号（１９９３年１２月７日発行、デスマライス（DesMarais）ら）に記載するもののような）、熱結合エアレイド材料（米国特許出願第０８／１４１，１５６号（１９９３年１０月２１日出願、リチャーズ（Richards）ら）、発明の名称「月経分泌液の取り扱い改善のための熱接着層を有する月経吸収構造並びに改善された適合及び快適さを有する月経パッドにおけるその利用」に記載する素材のような）、吸収性スポンジ、合成短繊維、高分子繊維、ヒドロゲル形成性ポリマーゲル化剤、ピートモス、ティッシュラップ及びティッシュラミネートを含むティッシュ、又はいずれかの等価素材若しくは素材の組み合わせが含まれる。発泡体を包含する好適な流体貯蔵層は、欧州特許出願０５９８８３３号、同０５９８８２３号及び同０５９８８３４号に記載されている。間に超吸収剤又はゲル化剤の粒子を備えるティッシュラミネートを包含する好適な流体貯蔵層は、ＰＣＴ国際特許出願９４／０１０６９号及び同９５／１７８６８号に記載されている。
【００３７】
好ましくは、流体貯蔵層は、通常「ヒドロゲル」、「超吸収」、「ヒドロコロイド」材料と呼ばれる超吸収性又はゲル化材料を包含する。吸収性ゲル材料は、水性流体、特に体の分泌液と接触して、そのような流体を吸収しヒドロゲルを形成する材料である。これらの吸収性ゲル材料は、典型的に、大量の水性の身体の分泌液を吸収でき、更にそのような吸収した流体を適度の圧力下で保持できる。これらの吸収性ゲル化材料は一般に、別個の、非繊維性粒子の粒の形状である。しかし、本発明によりこれらの超吸収性ゲル化材料はまた、非粒状の形状でも、好ましくは繊維の形状で提供されることができる。
【００３８】
この流体貯蔵層では、これらの吸収性ゲル材料は、キャリアとも呼ばれる好適な繊維性マトリックスの中で均一又は不均一に分散し得る。好適なキャリアは、吸収性コアに従来使用されるような綿毛のような形態のセルロース繊維を含む。堅くされたセルロース繊維のような変性されたセルロース繊維を使用することもできる。合成繊維も使用することができ、この合成繊維は、セルロースアセテート、ポリビニルフッ化物、ポリ塩化ビニリデン、（オーロンのような）アクリル、ポリビニルアセテート、不溶性のポリビニルアルコール、ポリエチレン、ポリプロピレン、（ナイロンのような）ポリアミド、ポリエステル、バイオコンポーネントファイバ、トリコンポーネントファイバ、それらの混合物等を含む。好ましい合成及び人工繊維は、フィラメント当たり約３デニール〜フィラメント当たり約２５デニール、好ましくはフィラメント当たり約５デニール〜フィラメント当たり約１６デニールを有する。また、好ましくは、繊維の表面は、親水性であるか、親水性となるように処理される。貯蔵層はまた、再湿潤問題を減らすパーライト、珪藻土、バーミキュライトなどのような充填剤材料も含有することができる。さらに、貯蔵層は、制限はされないが、硬化する前に水溶液として貯蔵層の表面にスプレーすることができるラテックス結合剤を含む結合剤を含んでいてもよい。
【００３９】
吸収性ゲル材料を繊維性マトリックスに不均一に分散する時、貯蔵層は局部的に均一であり得る。すなわち、貯蔵層の寸法内で一又は数方向において分配勾
配を有する。従って、不均一分配は、例えば、吸収性ゲル材料を囲む繊維キャリアの積層体を含む。
好ましくは、貯蔵層は、５％〜９５％の吸収性ゲル材料、好ましくは５％〜５０％、最も好ましくは８％〜３５％の吸収性ゲル材料を含む。さらに貯蔵層は、５％〜９５％、好ましくは９５％〜５０％、最も好ましくは、９２％〜６５％のキャリア繊維を含むことができる。
【００４０】
本明細書における使用に好適な吸収性ゲル材料は、実質的に非水溶性で、僅かに架橋し、部分的に中和した高分子ゲル材料を最も頻繁に含む。この材料は水に接触してヒドロゲルを形成する。このようなポリマー材料は、ポリマー化可能で、不飽和性の酸を含むモノマーから調整される。この発明に使用する高分子吸収性ゲル材料を調製する際に使用するのに好適な不飽和酸性モノマーには、米国特許第４，６５４，０３９号（１９８７年３月３１日発行、１９８８年４月１９日ＲＥ３２，６４９として再発行、ブラント（Brandt）ら）に挙げるものが含まれる。好ましいモノマーには、アクリル酸、メタクリル酸、及び２−アクリルアミド−２−メチルプロパンスルホン酸が挙げられる。
【００４１】
ヒドロゲル形成性高分子吸収性ゲル材料の基本的ポリマー成分の性質がいかなるものであれ、そのような材料は一般に僅かに架橋している。架橋は、ヒドロゲル形成性ポリマーゲル材料を実質的に非水溶性にするのに役立ち、従って、架橋は部分的にゲルボリューム及びこれらの高分子ゲル材料から形成されるヒドロゲルの抽出可能なポリマー特性を決定する。好適な架橋剤は、当該技術分野において周知であり、例えば、米国特許第４，０７６，６６３号（１９７８年２月２８日発行、マスダ（Masuda）ら）に、より詳細に記載されるものを含む。好ましい架橋剤は、ポリオールを有する不飽和モノ−又はポリカルボン酸のジ−又はポリエステル、ビスアクリルアミド及びジ−又はトリアリルアミンである。他の好ましい架橋剤は、Ｎ，Ｎ’−メチレンビスアクリルアミド、トリメチロールプロパントリアクリレート及びトリアリルアミンである。架橋剤は、一般に、結果として生じるヒドロゲル形成性ポリマー材料の約０．００１モル％〜５モル％を構成可能である。より好ましくは、架橋剤はヒドロゲル形成性高分子ゲル材料の約０．０１モル％〜３モル％を構成する。
【００４２】
僅かに架橋したヒドロゲル形成性高分子ゲル材料は、一般に、部分的に中和した形状で使用される。本発明の目的のために、ポリマーを形成するために使用される少なくとも２５モルパーセント、好ましくは少なくとも５０モルパーセントのモノマーが塩生成陽イオンで中和された酸基を含むモノマーであるとき、このような材料は、部分的に中和されていると見なされる。好適な塩生成陽イオンには、アルカリ金属、アンモニウム、置換アンモニウム及びアミンが含まれる。中和された酸基を含むモノマーである使用されるモノマー全体のパーセンテージは、この明細書において、中和度と称される。
これらの吸収性ゲル材料は、一般に、粒子状において従来技術に開示されているが、本発明の実施をするにあたって吸収性ゲル材料を例えば、繊維、シート又はストリップのような巨大構造部材として非粒子状にすることも可能である。
【００４３】
これらの巨大構造部材は、粒子状吸収性ゲル材料を凝集体に形成し、その凝集した材料を好適な架橋剤で処理し、その処理した凝集体を締固めて密度を高めて合着物質を形成し、その後その締固めた凝集体を硬化し、架橋剤を粒子状吸収性ゲル材料と反応させて合成多孔質吸収性巨大構造部材を形成することにより作成できる。このような多孔質吸収性巨大構造部材は、例えば、米国特許第５，１０２，５９７号（１９９２年４月７日発行、ロエ（Roe）ら）に開示されている。
本発明の特に好ましい実施形態によれば、吸収性コアは、一層のみ、好ましくは一流体貯蔵層を含む。
材料に顔料を加えること、材料を染めること及び／又は材料をカラー印刷することを含む、着色剤に関しての当業者に公知の方法は、吸収性コアを着色するためにも使用することができる。
【００４４】
ｄ．任意の繊維性層
本発明による吸収性コアに包含するための任意の成分は、貯蔵層に隣接する、又は典型的に貯蔵層の下にある繊維層である。この下にある繊維層は、典型的に、第二流体分配層と同一の機能を提供することができる。
【００４５】
ｅ．他の任意構成成分
本発明による吸収性コアは、吸収性ウェブに通常存在する他の任意成分を包含し得る。例えば、補強スクリムを、吸収性コアの各層内、又は各層の間に配置できる。このような補強スクリムは、特に吸収性コアの各層の間に配置するとき、流体移動に対して界面バリアを形成しないような外形である必要がある。熱接着の結果として通常発生する構造的一体性がある場合、本発明による吸収性構造部材では、補強スクリムは通常必要としない。
本発明による吸収性コアに含まれる他の部材は、好ましくは一次又は二次流体分配層に接近して又はその一部として配置される臭気制御剤である。通常、活性炭素単独で、又は他の臭気制御剤で被覆された活性炭、又はそれに加えて、特に好適なゼオライト、シリカ又は粘土材料が吸収性コアに任意に組み込まれる。
この材料は、低コストで著しい臭気制御特性を示すため、活性炭素は、黒色のような本発明による暗い色の吸収性物品に使用するために好ましい臭気制御剤である。
【００４６】
吸収性コアの物理的特性
吸収性コアは通常延伸性がなく、非伸縮性であるが、延伸性を引き出すことができ、選択した材料によっては伸縮性特性を備えるようにすることができる。これ以降、この明細書で使用する「延伸可能」という用語は、一方向にのみ延伸性が与えれている場合に、使用中に生じるもののような外部の力のもと、力の方向、又は力の成分の方向に延びる構造を言う。
これ以降、この明細書で使用される「弾性」という用語は、延伸を生じる力が作用を中止した後、少なくとも一部がそれらの最初の状態に戻る延伸性がある構造を言う。吸収性コアは、特定の延伸性を与えるために一方向又はいくつかの方向に波形をつけることができるか、ひだをつけることができるが、構造の弾性繊維を選択することにより、弾性を与えることができる。
吸収性コアは、薄いことが好ましい。得られる物品も、薄い厚みを持ち得るように、厚さ５ｍｍ未満、好ましくは３ｍｍ未満、より好ましくは１．８ｍｍ未満、より好ましくは０．１ｍｍ〜１．８ｍｍの厚さが望ましい。
【００４７】
吸収性物品の意匠
本発明は、生理用ナプキン、パンティライナ及び汗吸収パッド（脇の下又は襟用）に特に適用することができる。生理用ナプキン又はパンティライナ形の副次形、つまりソング形の生理用ナプキン又はパンティライナ、いわゆるソングライナである新しい製品設計は、本発明に特に影響されやすい。ソング型ライナは、ソングスリップ、Gストリング下着又はストリングパンティに着用されるような形状を有する生理用ナプキン又はパンティライナを提供するような設計であり、したがって、ソング形状は、基本的には、三角形又は台形である。
【００４８】
吸収性物品の任意成分
任意に本発明の吸収性物品は、製品の使用意図に一般的な全ての構成成分を包含することができる。例えば吸収性物品は、特に物品の後ろ末端部への位置決め及び汚れ防護性能を改善するために、ウイングのような成分を含むことができる。このような意匠は、例えば、欧州特許１３０８４８号又は欧州特許１３４０８６号に示され、ウイングを有するソングライナは、米国意匠特許第３９４，５０３号、英国意匠特許第２，０７６，４９１号及び第２，０８７，０７１号、並びにハーグ協定の下に、工業意匠ＤＭ第０４５５４４号（１９９８年１０月２１日国際出願）に示されている。
【００４９】
ウイングを備えている場合、ウイングは物品の残存する色に一致することが好ましい。事実、ウイングにおける物品設計は、残存する物品のＬハンター値に、好ましくは色に一致することが好ましい。その理由は、下着の外側に折り返された時ウイングはむしろ目に触れ易いからである。
ウイングは、ソングライナのために又は従来の吸収性物品のために特に設計されたかどうかに関係なく別個の部分として提供され、またソングライナ又は従来のパンティーライナ若しくは生理用ナプキンに取り付けることができる、又は例えばトップシート、バックシート若しくはその組み合わせの一体式の延伸であることにより、吸収性物品の材料と一体化することができる。ウイングが取り付けられる場合には、基本的に外側に向く位置に取り付けられることができるか、すでにそれらの使用の位置に向かって、すなわち、長手方向の中心線に向かって事前に配置されている。ウイングがトップシート又はバックシート又はその双方と一体的に延伸されている場合は、それらは、同じＬハンター値を有するか、これらの材料と同じ色である。
【００５０】
一般に、吸収性物品に一般的に使用される成分は全て、その吸収性物品が請求項で設定されるようなＬハンター値の基準を満たす限り、本発明による吸収性物品にも包含され得る。
最も好ましい吸収性物品は、取り付けのための固定用接着剤を含む。生理用ナプキン、パンティライナ又は、ソングライナの場合、下着に取り付けるためにバックシートにいわゆるパンティ固定用接着剤を使用することが好ましい。しかし、汗取りパッド、例えば、脇の下汗取りパッドについては、近接する衣類に取り付けるか、又は着用者の肌に直接取り付けるかのいずれをも考え得る。もちろん、生理用ナプキン又は（パンティライナと対照的に）ボディライナには、ウオータゲル、ヒドロゲル又はオイルゲルをベースとした身体用接着剤によって直接皮膚に取り付ける取付剤も使用することができる。
【００５１】
（実施例）
本発明によるパンティーライナの実施例は次のとおりである：
選択１
（図２に説明されるような）パンティーライナは以下を含む：
−トップシートとして、０．２平方ｍｍ及び１．６平方ｍｍの穴を有する黒い孔あき形成フィルム３。孔あき成形フィルムの開口領域は、約３２％である（ドイツのＢＰケミカル社（BP Chemicals）からコード名４５１０５／９９として入手可能な黒いＣＰＭ  ＤＨ（登録商標））、
−下敷層として、トップシートの表面全体に延びている黒い不織布のスパンボンドされたポリエチレンからつくられた第二層４（ＢＢＡリノテック社（Linotec）から市販のコード名Ｔ２７ＣＸＣ）、
−接着剤の螺旋層（Ｈ２１２８（登録商標）、アトフィンドレ−社（Ato Findley）から入手可能）（図示されない）、
−パンティライナの周縁に延びている１０％の超吸収繊維を有する白い吸収剤組織コア５（ドイツのＦａｌｋｅｎｈａｇｅｎコンサートＧｍｂＨ社から市販の坪量１００ｇｓｍ、コード名ＧＨ１００．１００８）、
−接着剤の螺旋層（ＰＭ１７（登録商標）、サバレ社（Savare）から入手可能）（図示されない）、
−バックシートとして、イギリス、Ｗｉｎｓｆｏｒｄ  Ｃｈｅｓｉｒｅのブリトンタコ社（Britton Taco）から市販の黒い顔料型のＳＴ７００ＡＲ０Ｅ００３１７１を有するポリエチレンマイクロエンボス加工フィルム６
−パンティー固定用接着剤（ＨＬ１４６１として、ドイツ（Luneburg）のフラー社（Fuller）から入手可能のストライプ（図示されない）及び剥離紙７。
【００５２】
トップシート３、下敷層（４及び５）及びバックシート６は、共通の周縁を有するように同一の広がりを有する。白いコア５は、吸収度インジケータとして作用する。
【００５３】
選択２
図１と図３に示すようなパンティライナは次のようなものを含む。
−トップシートとして、黒い不織スパンボンドポリエチレン外側層２（ＢＢＡリノテック社（Linotec）から市販のコード名Ｔ２７ＣＸＣ）並びに孔あき成形フィルムの開口領域が約３２％である、０．２平方ミリメートルの孔及び１．６平方ミリメートルの孔を持つ黒い孔あきポリエチレン成形フィルム３（ＢＰケミカルズ社（BP Chemicals）（ドイツ）から入手可能な黒いＣＰＭ  ＤＨ（登録商標）、コード名４５１０５／９９）、
−下敷層として、孔あきポリエチレン成形フィルム層３の表面全体に延びている、黒い不織布のスパンボンドされたポリエチレンからつくられた第二層４（ＢＢＡリノテック社（Linotec）から市販のＴ２７ＣＸＣ）、
−接着剤の螺旋層（Ｈ２１２８（登録商標）、アトフィンドレ−社（Ato Findley）から入手可能）（図３に示されない）、
−パンティライナの周縁に延びている１０％の超吸収繊維を有する白い吸収剤組織コア５（ドイツ、ＦａｌｋｅｎｈａｇｅｎのコンサートＧｍｂＨ社から市販の坪量１００ｇｓｍのＧＨ１００．１００８）、
−接着剤の螺旋層（ＰＭ１７（登録商標）、サバレ社（Savare）から入手可能）（図３に示されない）、
−バックシートとして、イギリス、Ｗｉｎｓｆｏｒｄ  Ｃｈｅｓｉｒｅのブリトンタコ社（Britton Taco）から市販の黒い顔料型のＳＴ７００ＡＲ０Ｅ００３１７１を有するポリエチレンマイクロエンボス加工フィルム６、
−パンティー固定用接着剤（ＨＬ１４６１として、ドイツ（Luneburg）フラー社（Fuller）から入手可能）のストライプ（図３に示されない）及び剥離紙７。
【００５４】
トップシート２及び３、下敷層４及び５、並びにバックシート６は、共通の周縁を有するように同一の広がりを有する。白いコア５は、吸収度インジケータとして作用する。
【００５５】
選択３
（図４に説明されるような）パンティーライナは以下を備える：
−トップシートとして、０．２平方ミリメートルの孔及び１．６平方ミリメートルの孔を持つ黒い孔あきポリエチレン成形フィルム３、孔あき成形フィルムの開口領域は３２％である（黒い不織スパンボンドされたポリエチレン外側層２（ＢＢＡリノテック社（Linotec）から市販のコード名Ｔ２７ＣＸＣと合わせて、ドイツのＢＰケミカルズ社（BP Chemicals）から入手可能な黒いＣＰＭ  ＤＨ（登録商標）、コード名４５１０５／９９））、
−下敷層は、物品の中心に配置された１０％の超吸収繊維を有する、白い吸収組織コア５によって形成され、このコアは、黒いトップシートに面する表面（図４には示さないトップシートに面する表面と異なる色）を有する。
−接着剤の螺旋層（ＰＭ１７（登録商標）、サバレ社（Savare）から入手可能）（図４に示されない）、
−バックシートとして、イギリスＷｉｎｓｆｏｒｄ  Ｃｈｅｓｉｒｅのブリトンタコ社（Britton Taco）から市販の黒い顔料型のＳＴ７００ＡＲ０Ｅ００３１７１を有するポリエチレンマイクロエンボス加工フィルム６、
−パンティー固定用接着剤（ＨＬ１４６１としてドイツ（Luneburg）のフラー社（Fuller）から入手可能）のストライプ（図４に示されない）及び剥離紙７。
【００５６】
トップシート２及び３、下敷層５及びバックシート６は、共通の周縁を有するように同一の広がりを有する。白いコア５は、吸収度インジケータとして作用する。
【００５７】
選択４
（図５又は６に説明されるような）ソングパンティーライナー１０は以下を備える：
−トップシートとして、パンティーライナの表面全体に延伸している、黒い不織スパンボンドされたポリエチレン（ＢＢＡリノテック社（Linotec）から市販のコード名Ｔ２７ＣＸＣ）
−接着剤の螺旋層（アトフィンドレ−社（Ato-Findley）から入手可能なコード名Ｈ２１２８）
−下敷層として、セルロース繊維とＱＴＯＥ１１０−ＰＬ１００６５の商品名でデュニ社（Duni）から市販の合成繊維（bicoPE/PP）からつくられた一方の形状全体（トップシートに面する表面）黒色の吸収組織コア（１１０ｇｓｍ）、バックシートに面する側は白色で、トップシート全体面上に延びている。
−接着剤の螺旋層ＰＭ１７（登録商標）サバレ社から入手可能）
−バックシートとして、イギリスＷｉｎｓｆｏｒｄ  Ｃｈｅｓｉｒｅのブリトンタコ社（Britton Taco）から市販の黒い顔料型のＳＴ７００ＡＲ０Ｅ００３１７１を有するポリエチレンマイクロエンボス加工フィルム
−パンティー固定用接着剤（ＨＬ１４６１としてドイツ（Luneburg）のフラー社（Fuller）から入手可能）のストライプ及び剥離紙。
【００５８】
この明細書において前述したパンティライナの全体において、「黒色」は、３０未満のＬハンター値を意味し、「白色」は、７０又はそれ以上のＬハンター値を意味する。
【図面の簡単な説明】
【図１】  本発明による好ましい黒いパンティライナの、トップシートが見る人に面している平面図である（暗さ／色は図示しない）。
【図２】  本発明によるパンティーライナーの拡大横断面図である。
【図３】  図１のラインＩ−Ｉに沿って取った、拡大横断面図である。
【図４】  本発明による他のパンティーライナの、拡大横断面図である。
【図５】  本発明による他の好ましい黒いパンティーライナー、つまりソングパンティーライナの平面図であり、トップシートは見る人に面している。
【図６】  本発明による黒いソングパンティライナの平面図であり、トップシートが見る人に面しており、トップシートが欧州特許出願６１７６０２号の教示に沿って少なくとも一部が各下層に結合される一連の結合場所１を備えている平面図である（暗さ／色は図示しない）。
【図１】
0004722376.tif 000002
【図２】
0004722376.tif 000003
【図３】
0004722376.tif 000004
【図４】
0004722376.tif 000005
【図５】
0004722376.tif 000006
【図６】
0004722376.tif 000007